(57)【要約】【課題】壁面パネルの取付作業を非常に容易なものとし、作業者一人でも取付作業ができる壁面パネルの取付構造を提供することを課題とする。【解決手段】壁２に壁面パネル１を取り付ける構造であって、壁面パネル１に取り付けられた雄部材４と、壁２に取り付けられた雌部３０を有する受材３からなり、壁面パネル１の受材３方向への押し込み力により、雄部材４が変形せしめられながら雌部３０内に強制嵌入された状態では、雌部３０内で雄部材４が復元して抜け止めとなっていることを特徴とする、壁面パネルの取付構造を用いる。【選択図】図１
2008144492.tif 000002
【特許請求の範囲】
【請求項１】
壁に壁面パネルを取り付ける構造であって、壁面パネルに取り付けられた雄部材と、壁に取り付けられた雌部を有する受材からなり、壁面パネルの受材方向への押し込み力により、雄部材が変形せしめられながら雌部内に強制嵌入された状態では、雌部内で雄部材が復元して抜け止めとなっていることを特徴とする、壁面パネルの取付構造。
【請求項２】
複数本の支柱に壁面パネルを取り付ける構造であって、壁面パネルに取り付けられた雄部材と、支柱に取り付けられた雌部を有する受材からなり、壁面パネルの受材方向への押し込み力により、雄部材が変形せしめられながら雌部内に強制嵌入された状態では、雌部内で雄部材が復元して抜け止めとなっていることを特徴とする、壁面パネルの取付構造。
【請求項３】
雄部材の変形と抜け止めは、雌部に形成された爪と雄部材に形成された係止溝によってなされることを特徴とする、請求項１又は２記載の壁面パネルの取付構造。
【請求項４】
請求項１乃至３のいずれかに記載の壁面パネル取付構造に使用する壁面パネルであって、少なくとも壁面パネルの上面及び下面に溝が設けられていることを特徴とする壁面パネル。
【請求項５】
請求項４に記載の壁面パネルを使用した壁面パネルの取付構造であって、壁面パネルの上面の溝に雄部材に設けられたパネル固定部を嵌合させ、壁面パネルの下面の溝に受材のパネル方向に形成されたＬ字型案内部の上端を嵌合させたことを特徴とする、壁面パネルの取付構造。
【請求項６】
請求項５に記載のＬ字型案内部と壁面パネルの下面溝の間に介在させる軟質部材であって、軟質部材の壁側端が上り斜面に形成されていることを特徴とする、軟質部材。 
【発明の詳細な説明】
【技術分野】
【０００１】
この発明は、乾式施工における、壁面パネルの取付構造と、その取付構造に使用する壁面パネルと軟質部材に関するものである。
【背景技術】
【０００２】
通常、壁面に取り付けられる壁面パネルの取付作業は、壁面パネルを持ち上げ、金具を用いてボルト止めやネジ止めを行うものである。（例えば、特許文献１）
したがって、作業者の人数は、最低でも二名必要であり、一名が壁面パネルを持ち上げ、もう一名がボルト止めやネジ止めを行う様態で、取付作業は行われていた。  
【０００３】
このような作業様態であると、壁面パネルを持ち上げる作業者は、ボルト止めやネジ止め作業を行っている間、壁面パネルを持ち上げ続けなければならないので、作業者にとっては苦痛となっていた。
【０００４】
また、作業者一人では壁面パネルの取付作業を行うことができないという問題もあった。
【特許文献１】特開２００４−９２０２０号公報
【発明の開示】
【発明が解決しようとする課題】
【０００５】
そこで、この発明は、上記課題を解決するためになされたものであり、壁面パネルの取付作業を非常に容易なものとし、作業者一人でも取付作業ができる壁面パネルの取付構造を提供することを課題とする。
【課題を解決するための手段】
【０００６】
（請求項１記載の発明）
この壁面パネルの取付構造は、壁に壁面パネルを取り付ける構造であって、壁面パネルに取り付けられた雄部材と、壁に取り付けられた雌部を有する受材からなり、壁面パネルの受材方向への押し込み力により、雄部材が変形せしめられながら雌部内に強制嵌入された状態では、雌部内で雄部材が復元して抜け止めとなっていることを特徴とする。
【０００７】
（請求項２記載の発明）
この壁面パネルの取付構造は、複数本の支柱に壁面パネルを取り付ける構造であって、壁面パネルに取り付けられた雄部材と、支柱に取り付けられた雌部を有する受材からなり、壁面パネルの受材方向への押し込み力により、雄部材が変形せしめられながら雌部内に強制嵌入された状態では、雌部内で雄部材が復元して抜け止めとなっていることを特徴とする。
【０００８】
（請求項３記載の発明）
この壁面パネルの取付構造は、請求項１又は２記載の発明に関し、雄部材の変形と抜け止めは、雌部に形成された爪と雄部材に形成された係止溝によってなされることを特徴とする。
【０００９】
（請求項４記載の発明）
この壁面パネルは、請求項１乃至３のいずれかに記載の壁面パネル取付構造に使用する壁面パネルであって、少なくとも壁面パネルの上面及び下面に溝が設けられていることを特徴とする。
【００１０】
（請求項５記載の発明）
この壁面パネルの取付構造は、請求項４に記載の壁面パネルを使用した壁面パネルの取付構造であって、壁面パネルの上面の溝に雄部材に設けられたパネル固定部を嵌合させ、壁面パネルの下面の溝に受材のパネル方向に形成されたＬ字型案内部の上端を嵌合させたことを特徴とする。
【００１１】
（請求項６記載の発明）
この軟質部材は、請求項５に記載のＬ字型案内部と壁面パネルの下面溝の間に介在させる軟質部材であって、軟質部材の壁側端が上がり斜面状に形成されていることを特徴とする。
【発明の効果】
【００１２】
この発明の壁面パネルの取付構造は、壁面パネルの取付作業を非常に容易なものとし、作業者一人でも取付作業ができる。
【発明を実施するための最良の形態】
【００１３】
以下に、この発明の壁面パネルの取付構造の本発明の実施形態を、実施例として示す各図と共に説明する。
【実施例１】
【００１４】
図１は実施例１の壁面パネルの取付構造の外観斜視図である、図２は壁面パネルの取付構造の取付時の断面図である、図３は壁面パネルの取付構造の分解断面図である、図４は壁面パネルの取付構造の押込み時の断面図である、図５は壁面パネルを連続して取り付けた時の断面図である。
【００１５】
（この壁面パネル１の取付構造の基本的構成について）
この壁面パネル１は、図１に示すように、壁２に平行に取り付けられるものであって、その手段としては、受材３と雄部材４が使用されている。
【００１６】
複数取り付けた上下壁面パネル１の相互間には軟質部材５を、左右壁面パネル１の相互間には目地材６を、それぞれ介在させることによって、気密性・水密性を確保している。
【００１７】
軟質部材５と目地材６を壁面パネル１の相互間に介在させる乾式工法であると、壁面パネル１の相互間をコーキングする（湿式工法を施す）必要が無いことから、コーキングの専門職人を必要とせず、作業者を選ばないものとなる。さらに、取り付け工事が天候に左右されないものとなる。
【００１８】
なお、この壁面パネル１の設置場所は、屋外及び屋内を問わず、設置可能な場所であれば何処でもよい。
【００１９】
（壁面パネル１について）
図１に示すように、壁面パネル１の上面には雄部材４を固定するための溝１０が、左右側面には目地材６を挿入ための溝１１が、下面には軟質部材５を挿入するための溝１２が、それぞれ設けられている。
【００２０】
壁面パネル１の形状は、三角形、四角形、六角形、と平面を隙間無く埋めることが可能な形状であれば何でも良いが、軟質部材５及び目地材６の取り付けの簡素化、並びに壁面パネル１の取り付け作業の簡素化が可能となるため、壁面パネル１の形状は長方形（正方形を含む）とすることが好ましい。
【００２１】
壁面パネル１の材質には、石板、金属複合板、ハニカムパネル、アルミボード、プラスチックボード、ベニヤ板、石膏ボード、防音ボード等を用いる事が出来る。
【００２２】
（壁２について）
壁２は、建築物に使用される壁であれば何でもよく、例えば、コンクリート造壁、鉄骨造壁、木造壁、モルタル造壁などがあげられる。
【００２３】
（受材３について）
受材３は、図２や図８に示すように、雌部３０と、爪３１と、Ｌ字型案内部３２と、先頭部３３を有する。
【００２４】
受材３の上側には、ネジ孔が設けられており、ネジ７を用いて壁２に固定されている。
【００２５】
受材３の中央には、壁面パネル１方向に伸びた後、垂直上向きに伸びるＬ字型案内部３２が設けられ、Ｌ字型案内部３２の先端は、外周よりも太く形成された先頭部３３が形成されている。
【００２６】
受材３の下側には、雌部３０が設けられている。雌部３０はコの字型に形成され、出入り口には向かい合う様態で爪３１が形成されている（いわゆるチャンネル型）。
【００２７】
受材３の材質は、エンジニアリングプラスチック、金属などを用いることができ、壁面パネル１の重量を支えることができるものであれば何でも良い。加工性・耐錆性・強度等を総合的に考慮すると、受材３の材質にはアルミ押出型材を用いるのが好ましい。
【００２８】
（雄部材４について）
雄部材４は、図２及び図６に示すように、弾性部４０と係止溝４１とパネル固定部４２を有する。弾性部４０は壁２側に、パネル固定部４２は基端部に、係止溝４１は弾性部４０とパネル固定部４２の間に、それぞれある。
【００２９】
弾性部４０は、壁２側に向かって徐々に狭くなっており、先端が爪３１，３１の間に挿入可能なものである。弾性部４０は中空構造となるように金属加工したことによって、弾性変形が可能である。弾性部４０は、雌部３０に全て挿入されると、爪３１，３１と係止溝４１，４１によって抜け止めとなる。
【００３０】
弾性部４０の基端は、上側のみを壁面パネル３側に取り付けることによって、下側をたわみ可能な様態としている。そして、基端付近（壁面パネル１の表面近傍）には上側下側の両方に凹み形状の係止溝４１が形成されている。
【００３１】
雄部材４の基端には、パネル固定部４２が形成されている。パネル固定部４２が溝１０に挿入されることによって、雄部材４は壁面パネル１の上面に固定されている。
【００３２】
弾性部４０は、上述のように弾性を有する形状に金属を変形させたものを用いても良いし、エラストマ等の弾性部材を用いても良い。
【００３３】
エラストマは長期間使用すると劣化することから、弾性を有する形状とした金属が好ましい。弾性を有する形状としたアルミ押出型材を用いると、軽量で錆びないものとなる為、特に好ましい。
【００３４】
（軟質部材５について）
軟質部材５は、図２及び図８に示すように、Ｌ字型案内部３２の先端を覆う様態で取り付けられている。
【００３５】
軟質部材５の壁側端５０は、壁２に向かって上り斜面状に形成されている。このような様態であると、壁面パネル１の壁２側に発生した水滴を受け止める事が可能となる。受け止めた水滴は、受材３の端から排出可能とすることが好ましい。
【００３６】
軟質部材５の中央部は、壁面パネル１及び下面溝１２並びにＬ字型案内部３２及び先頭部３３に沿うように形成されている。このような様態であると、Ｌ字型案内部３２がダイレクトに溝１２に接触しないため、壁面パネル１が破損し難いものとなる。
【００３７】
軟質部材５のパネル側端は、湾曲部５１が形成されている。このような様態であると、上下の壁面パネル１の隙間の気密性・水密性を向上させることが可能である。
【００３８】
軟質部材５には、軟質エラストマとして軟質塩化ビニル、ネオプレンゴム、シリコンゴム等を用いることができる。焼却時に有害物質を発生しないことから、ネオプレンゴム、シリコンゴムを用いるのが好ましい。
【００３９】
（雄部材４の取り付けについて）
この壁面パネル１の取付方法は、図１に示すように、壁２に受材３を設置し、壁面パネル１を壁２方向へ押し込むことによって、壁面パネル１が抜け止め状態となるものである。
【００４０】
壁面パネル１を壁２側へ押し込むと、図３示すように、押し込み力によって、雄部材４が雌部３０に挿入される様態となる。
【００４１】
挿入過程は、図４に示すように、雄部材４に形成された弾性部４０が、雌部３０に形成された爪３１と接触し、弾性部４０の下側がたわみ、弾性部４０の幅が狭まる態様で変形しつつ、雌部３０内に入る。
【００４２】
弾性部４０が抜け止め位置まで移動すると、図２に示すように、弾性部４０は元の形状に復元する。元の形状に復元すると、雄部材４に形成された係止溝４１に爪３１が嵌入している様態となり、抜け止め状態となる。
【００４３】
この、抜け止め状態の時、弾性部４０が完全に元の形状に復元しておらず、弾性を残している様態で係止溝４１に爪３１が嵌入しているのが好ましい。このような様態であると、壁面パネル１にガタつきが生じないものとなる。
【００４４】
（壁面パネル１の取り付けについて）
壁面パネル１の取り付けは、下記に示す工程で行われる。
【００４５】
（１）取付準備（第一工程）
取付工程は、図１及び図３に示すように、壁２に受材３を設置し、受材３が有するＬ字型案内部３２に、軟質部材５をかぶせる。次に、壁面パネル１の上面に雄部材４を取り付け、左右のいずれか一方の側面に目地材６を取り付ける。
【００４６】
壁面パネル１に、雄部材４と目地材６を取り付ける作業は、出荷段階で行われていても良い。
【００４７】
また、受材２に軟質部材５を取り付ける作業も、出荷段階で行われていても良い。
【００４８】
（２）壁面パネル１の取り付け（第二工程）
雄部材４と目地材６が既に取り付けられた壁面パネル１は、図２〜図４に示すように、下面に形成された溝１２にＬ字型案内部３２が挿入される様態で指し込み、上部を壁２方向に押し付けることによって取り付ける。
【００４９】
一枚目を取り付けると、図５に示すように、上下左右に隣接するように次々と壁面パネル１を取り付ける。取付順序は上端から取り付け始めてもよいし、下端から取り付け始めてもよい。
【００５０】
押し付けることによって取り付けた後、図１に示すように、既に取り付けられている隣接した壁面パネル１の側面に押し付け、パネル相互間の隙間を無くす。この時、目地材６の変形が起こる。
【００５１】
（目地材６について）
図６は壁面パネルの取付構造の上面部拡大斜視図である、図７は壁面パネルの取付構造の一部上面図である。
【００５２】
目地材６は、図６及び図７に示すように、波状に形成された抜止部６０と、筒状に形成された空間部６１と、薄く形成された突起部６２からなる。抜止部６０は、溝１１と同等の幅であって、溝１１に挿入して固定可能なものする。壁面パネル１を取り付ける時には、既に、左右いずれかの溝１１に目地材６が取り付けられているのが好ましい。
【００５３】
目地材６は壁面パネル１に挟まれることによって、空間部６１が円筒状から楕円筒状に変形し、目地材６の有する弾力が、左右の壁面パネル１を押し付ける様態とすることによって、機密性、水密製を向上させることができる。取り付けたとき、直線状であった突起部６２の先端は溝１２の底面によって押され、突起部６２は湾曲する。目地材６には軟質塩化ビニル、ネオプレンゴム、シリコンゴムなどを用いることができる。焼却時に有害物質を出さない事から、ネオプレンゴム、シリコンゴムを用いるのが好ましい。
【００５４】
（押し込み力の調節について）
雄部材４を抜け止め状態とする為の押し込み力は、図６に示す長さｌで調節可能である。平均的な成人男性が七割程度の力で抜け止め状態可能な押し込み力とするのが好ましく、長さｌは、前記した押し込み力に対応するものとする。
【００５５】
（受材３及び軟質部材５について）
図８は壁面パネルの取付構造の下面部拡大斜視図である、
軟質部材５の壁側端５０は、壁２に向かって上り斜面状に形成されている。上述の通り、このような様態であると、壁面パネル１の壁２側に発生した水滴を受け止める事が可能となる。受材３の端部に排水孔（図示せず）を設け、受け止めた水滴を、排出可能とすることもできる。
【００５６】
（軒天納まりについて）
図９は壁面パネルの取付構造の軒天納まりの分解図である、図１０は壁面パネルの取付構造の軒天納まりの断面図である。
【００５７】
壁面パネル１を用いた壁面に天井８を設ける場合、軒天納まり部材８０を用いて、図９に示す様態で取り付けられる。
【００５８】
軒天納まり部材８０には天井固定部８１と受材連結部８２が形成されており、軟質部材５が被せられたＬ字型案内部３２を受材連結部８２に挿入し、ネジ７を用いて固定する。その後、天井固定部８１に天井板８を取り付け、固定する。固定すると、図１０に示すような様態で取り付けられる。
【００５９】
天井板８の取り付け作業は、当業者が適宜なし得る事項である。
【００６０】
その他、受材３に壁面パネル１を取り付ける方法は上述したものと同様である。
【００６１】
（胴差し納まりについて）
図１１は壁面パネルの取付構造の胴差し納まりの分解図である、図１２は壁面パネルの取付構造の胴差し納まりの断面図である。
【００６２】
壁面パネル１を用いた壁面を、建造物の一階〜二階の間等に用いる時やベランダに使用する場合、図１１に示すように、胴差し納まり部材９を用いて取り付けられる。
【００６３】
胴差し納まり部材９には、軒天納まり部材８０の受材連結部８２と同様に、受材連結部９０が設けられ、受材３のＬ字型案内部３２の先端と同様に、案内部９１が設けられ、案内部９１には軟質部材５が取り付けられている。
【００６４】
胴差し納まり部材９は、図１１に示すように、軟質部材５が被せられたＬ字型案内部３２を受材連結部９０に挿入し、ネジ７を用いて固定する。固定すると、図１２に示すような様態で取り付けられる。
【００６５】
この後、案内部９１を壁面パネル１の下面溝１２に挿入されるように取り付ける。
【００６６】
その他、受材３に壁面パネル１を取り付ける方法は上述したものと同様である。
【実施例２】
【００６７】
図１３は実施例２の壁面パネルの取付構造の全体斜視図である。
【００６８】
複数本の支柱２０に設ける壁面パネル１も実施例１と同様である。図１３に示すように、複数本の支柱２０の間隔部分に受材３を設置し、壁面パネル１を支柱２０方向へ押し込むことによって取付可能としたものである。支柱２０の本数は２本〜多数であればよく、当業者が適宜なし得る事項である。
【００６９】
支柱２０には、木、鉄、アルミ、その他軽金属などを用いることができる。
【００７０】
支柱２０の間隔が広い場合、複数の支柱２０に胴縁を設け、胴縁に受材３を設置することもできる。
【００７１】
その他の事項については、上記実施例１と同様である。
【００７２】
尚、この壁面パネルの取付構造を、天井板の取り付けに使用しても良い。
【図面の簡単な説明】
【００７３】
【図１】実施例１の壁面パネルの取付構造の外観斜視図である。
【図２】壁面パネルの取付構造の取付時の断面図である。
【図３】壁面パネルの取付構造の分解断面図である。
【図４】壁面パネルの取付構造の押込み時の断面図である。
【図５】壁面パネルを連続して取り付けた時の断面図である。
【図６】壁面パネルの取付構造の上面部拡大斜視図である。
【図７】壁面パネルの取付構造の一部上面図である。
【図８】壁面パネルの取付構造の下面部拡大斜視図である。
【図９】壁面パネルの取付構造の軒天納まりの分解図である。
【図１０】壁面パネルの取付構造の軒天納まりの断面図である。
【図１１】壁面パネルの取付構造の胴差し納まりの分解図である。
【図１２】壁面パネルの取付構造の胴差し納まりの断面図である。
【図１３】実施例２の壁面パネルの取付構造の全体斜視図である。
【符号の説明】
【００７４】
１    壁面パネル
２    壁
２０  支柱
３    受材
３０  雌部
３１  爪
３２  Ｌ字型案内部
４    雄部材
４０  弾性部
５    軟質部材
５０  壁側端
６    目地材
【図１】
2008144492.tif 000003
【図２】
2008144492.tif 000004
【図３】
2008144492.tif 000005
【図４】
2008144492.tif 000006
【図５】
2008144492.tif 000007
【図６】
2008144492.tif 000008
【図７】
2008144492.tif 000009
【図８】
2008144492.tif 000010
【図９】
2008144492.tif 000011
【図１０】
2008144492.tif 000012
【図１１】
2008144492.tif 000013
【図１２】
2008144492.tif 000014
【図１３】
2008144492.tif 000015